(57)【要約】【課題】従来よりも多くの光量を得ることができるようにする。【解決手段】遮光性を備え且つ前面に発光窓３が形成された升形のケース２の内部にＬＥＤチップ７を取着し、該ケース２内に透明な樹脂４を充填して前記ＬＥＤチップ７を封止するようになしたＬＥＤ発光体である。前記ケース２の内部に取着するＬＥＤチップ７として光を発生する活性層７ａの背面にミラー７ｂを形成したＬＥＤチップを用いる。該ＬＥＤチップ７の複数を、逆ハの字形に適宜の角度で向き合うようになし、夫々のＬＥＤチップ７、７が発光すると共に、対向する相手側のＬＥＤチップ７、７から発せられる光を前記ミラー７ｂによって反射させるようにする。【選択図】図１
2009266863.tif 000002
【特許請求の範囲】
【請求項１】
遮光性を備え且つ前面に発光窓が形成された升形のケースの内部にＬＥＤチップを取着し、該ケース内に透明な樹脂を充填して前記ＬＥＤチップを封止するようになしたＬＥＤ発光体において、
前記ケースの内部に取着するＬＥＤチップとして光を発生する活性層の背面にミラーを形成したＬＥＤチップを用い、該ＬＥＤチップの複数を、適宜の角度で向き合うようになし、夫々のＬＥＤチップが発光すると共に、対向する相手側のＬＥＤチップから発せられる光を前記ミラーによって反射させるようになしたことを特徴とするＬＥＤ発光体。
【請求項２】
逆ハの字形に向き合う２個のＬＥＤチップを一組とし、これをケースの内部に複数組取着してなる請求項１記載のＬＥＤ発光体。
【請求項３】
逆ハの字形に向き合う２個のＬＥＤチップと、これら２個のＬＥＤチップ間に位置し、該２個のＬＥＤチップの下端に、該ＬＥＤチップと交差するようになした１個のＬＥＤチップとをケースの内部に取着してなる請求項１記載のＬＥＤ発光体。
【発明の詳細な説明】
【技術分野】
【０００１】
本発明はＬＥＤ発光体に関するものである。
【背景技術】
【０００２】
ＬＥＤ発光体は、遮光性を備え且つ前面に発光窓が形成された升形のケースの内部にＬＥＤチップを取着し、該ケース内に透明な樹脂を充填して前記ＬＥＤチップを封止してなるものである。
【０００３】
そしてまた、斯かるＬＥＤ発光体は、ケース内の底部に取着するＬＥＤチップが１個のみのものが殆どである。このため、得られる光量が少なかった。
【発明の開示】
【発明が解決しようとする課題】
【０００４】
本発明は上記の点に鑑みなされたものであって、ＬＥＤチップとして光を発生する活性層の背面にミラーを形成したＬＥＤチップを用い、該ＬＥＤチップを複数、適宜の角度で向き合うようになし、夫々のＬＥＤチップが発光すると共に、対向する相手側のＬＥＤチップから発せられる光を前記ミラーによって反射させ、これらの発光を総合してケースの発光窓に向かわせることにより、従来に比してはるかに多くの光量を得ることができるようになしたＬＥＤ発光体を提供しようとするものである。
【課題を解決するための手段】
【０００５】
而して、本発明の要旨とするところは、遮光性を備え且つ前面に発光窓が形成された升形のケースの内部にＬＥＤチップを取着し、該ケース内に透明な樹脂を充填して前記ＬＥＤチップを封止するようになしたＬＥＤ発光体において、前記ケースの内部に取着するＬＥＤチップとして光を発生する活性層の背面にミラーを形成したＬＥＤチップを用い、該ＬＥＤチップの複数を、適宜の角度で向き合うようになし、夫々のＬＥＤチップが発光すると共に、対向する相手側のＬＥＤチップから発せられる光を前記ミラーによって反射させるようになしたことを特徴とするＬＥＤ発光体にある。
【０００６】
また上記構成において、逆ハの字形に向き合う２個のＬＥＤチップと、これら２個のＬＥＤチップ間に位置し、該２個のＬＥＤチップの下端に、該ＬＥＤチップと交差するようになした１個のＬＥＤチップとをケースの内部に取着するようになしてもよい。
【０００７】
また上記構成において、逆ハの字形に向き合う２個のＬＥＤチップと、これら２個のＬＥＤチップ間に位置し、該２個のＬＥＤチップの下端に、該ＬＥＤチップと交差するようになした１個のＬＥＤチップとをケースの内部に取着するようになしてもよい。
【発明の効果】
【０００８】
本発明によれば、夫々のＬＥＤチップが発光すると共に、対向する相手側のＬＥＤチップから発せられる光を各ＬＥＤチップにおけるミラーによって反射させ、これらの発光を総合してケースの発光窓に向かわせるものであるから、従来に比してはるかに多くの光量を得ることができるものである。
【発明を実施するための最良の形態】
【０００９】
以下、本発明に係るＬＥＤ発光体を実施するための最良の形態について、図面を参照して説明する。
【００１０】
図１は本発明の第１実施形態に係るＬＥＤ発光体の中央縦断正面図、図２は本発明において用いるＬＥＤ発光体の説明図である。
【００１１】
図中、１はＬＥＤ発光体である。２は前記ＬＥＤ発光体１を構成する升形のケースであり、遮光性を備え且つ前面に発光窓３が形成されている。４は前記ケース２内に充填され、後記ＬＥＤチップを封止する透明な樹脂である。５、６は前記ケース２の底部に固着されたリードである。該リード５、６は図示しない電源に接続することによって駆動電圧が印加され、ＬＥＤチップを発光駆動させるものである。
【００１２】
７は前記ケース２の内部に取着するＬＥＤチップである。また、該ＬＥＤチップ７は、光を発生する活性層７ａの背面にミラー７ｂを形成してなるものである。また７Ａは該ＬＥＤチップ７のＮ電極、７ＢはＰ電極である。尚、該Ｐ電極７Ｂは、該ＬＥＤチップ７の背面側に形成した電極板７Ｂ′に電気的に接続されている。
【００１３】
また、本実施形態においては、前記ＬＥＤチップ７を逆ハの字形に向き合わせ、この向き合う２個のＬＥＤチップ７、７を一組として、前記ケース２の内部に二組取着している。尚、向き合う２個のＬＥＤチップ７、７の角度は、相互に相手方のＬＥＤチップから発せられる光を反射させてケース２の発光窓３に向かわせるに適した角度である。
【００１４】
これにより、夫々のＬＥＤチップ７、７が発光すると共に、対向する相手方のＬＥＤチップ７、７から発せられる光を各ＬＥＤチップ７、７におけるミラー７ｂによって反射させ、これらの発光を総合してケース２の発光窓３に向かわせることができるから、従来に比してはるかに多くの光量を得ることができるものである。
【００１５】
また、前記ＬＥＤチップ７におけるミラー７ｂは、本実施形態においては銀メッキによって形成している。また、本実施形態においては、二組のＬＥＤチップ７、７は、夫々下部側にＰ電極７Ｂが位置するようになすと共に、各組のＬＥＤチップ７、７におけるＰ電極７Ｂ、７Ｂを金属板８をもって電気的に接続し、また外側に位置するＬＥＤチップ７、７のＮ電極７Ａは、金属細線９、９をもって前記リード５、６に夫々接続している。
【００１６】
次に、図３に示した本発明の第２実施形態について説明する。
本実施形態は、逆ハの字形に行き合う２個のＬＥＤチップ７、７と、これら２個のＬＥＤチップ７、７間に位置し、該２個のＬＥＤチップ７、７の下端に、該ＬＥＤチップ７、７と交差するようになした１個のＬＥＤチップ７とをケース２の内部に取着してなる点において前記第１実施形態と相違するものである。また、本実施形態においては、外側の両方のＬＥＤチップ７、７及びこれらの間のＬＥＤチップ７は、電極の向きが一致しており、一方の外側のＬＥＤチップ７のＮ電極７Ａは金属細線９をもって前記リード５に、また他方の外側のＬＥＤチップ７のＰ電極７Ｂは金属細線９をもって前記リード６に、また両外側のＬＥＤチップ７、７とこれらの間のＬＥＤチップ７の夫々のＮ電極とＰ電極は、夫々金属細線１０、１０をもって接続している。尚、その他の構成については前記第１実施形態と同様であるから、同一の部材には同一の符号を付して詳細な説明は省略する。
【００１７】
本実施形態も前記第１実施形態と同様の作用をなし、従来に比してはるかに多くの光量を得ることができるものである。
【図面の簡単な説明】
【００１８】
【図１】本発明の第１実施形態に係るＬＥＤ発光体の中央縦断正面図である。
【図２】本発明において用いるＬＥＤ発光体の説明図である。
【図３】本発明の第２実施形態に係るＬＥＤ発光体の中央縦断正面図である。
【符号の説明】
【００１９】
１  ＬＥＤ発光体
２  ケース
３  発光窓
４  透明な樹脂
５、６  リード
７  ＬＥＤチップ
【図１】
2009266863.tif 000003
【図２】
2009266863.tif 000004
【図３】
2009266863.tif 000005